(57)【要約】【課題】送受話器側の充電端子と充電台側の充電端子と間において通常の振動等によっては接続不良が起きないようになすと共に、充電台に対する送受話器の着脱が容易となる。【解決手段】充電台３００に、送受話器２００の受話部２０２を受入れる受話部受入れ凹部３０３を形成し、受話部受入れ凹部３０３における受話部２０２の外側壁端面２０２ｂに対向する壁部３１４に、受話部２０２の外側壁端面部２０２ｂに当接して送受話器側充電端子２０６を充電側充電端子３０５側に押圧する送受話器押え片３０６を揺動可能に設け、送受話器押え片３０６が常時受話部２０２の外側壁端面部２０２ｂ側を押圧するようにばね片３０８を充電台３００に設けて構成した。【選択図】図５
2009130839.tif 000002
【特許請求の範囲】
【請求項１】
電話機本体または無線基地局との間で無線による送受信を行う送受話器と、前記送受話器に内蔵された内蔵電池を充電する充電台とを備えて構成するコードレス電話機であって、前記送受話器は、送受話器側充電端子が設けられており、また、前記充電台には、前記送受話器側充電端子に接触する充電側充電端子が設けられていると共に前記送受話器の受話部を受け入れる受話部受入れ凹部が形成されており、前記受話部受入れ凹部における前記受話部の外側壁端面に対向する壁部に、当該受話部の外側壁端面部に当接して前記送受話器側充電端子を前記充電側充電端子側に押圧する送受話器押え片を揺動可能に設け、前記送受話器押え片が常時前記受話部の外側壁端面部側を押圧するように送受話器押え片押圧手段を前記充電台に設けて構成したことを特徴とするコードレス電話機。
【請求項２】
前記送受話器押え片押圧手段は、一端側が前記送受話器押え片側に係止すると共に他端側が前記充電台側に係止されたばね片によって構成することを特徴とする請求項１に記載のコードレス電話機。
【請求項３】
前記送受話器の受話部における前記受話部受け入れ凹部への受話部側対向面に係合凹部を形成し、前記係合凹部に係合する送受話器係止片を、前記受話部受入れ凹部における前記受話部への受入れ凹部側対向面に形成した係止片収容部に揺動可能に設置して、前記送受話器係止片を前記係止片収容部より突出させることにより前記係合凹部に係合させて、前記送受話器が壁掛け使用状態となった前記充電台上において保持可能に構成した請求項１または請求項２に記載のコードレス電話機。
【請求項４】
前記送受話器側充電端子を、前記送受話器における送話部側の外側壁端面部に設置した請求項１乃至３のいずれか一に記載のコードレス電話機。
【請求項５】
前記送受話器押え押圧手段は、前記送受話器押え片に、前記受話部の外側壁端面を押圧する押え片部と、前記押え片部に一体成形された操作片部と、前記押え片部と前記操作片部との間に設けられた支軸とを設け、前記充電台の前記受話部受入れ凹部に送受話器押え片配設凹部を設けて、前記操作片部を前記送受話器押え片配設凹部から突出するように構成し、前記送受話器を前記充電台に載置した際に、前記送受話器の受話部により前記操作片部を押圧することにより、前記送受話器押え片が前記支軸を中心に回転して前記押え片部により前記受話部の外側壁端部を押圧することを特徴とする請求項１に記載のコードレス電話機。
【発明の詳細な説明】
【技術分野】
【０００１】
本発明は、電話機本体又は無線基地局との間で無線による送受信を行う送受話器と、前記送受話器に内蔵された内蔵電池を充電する充電台とを備えて構成するコードレス電話機に関する。
【背景技術】
【０００２】
従来、この種のコードレス電話機としては、例えば特許文献１及び特許文献２に記載されたものが知られている。
【特許文献１】実公平５−４０５９９号公報。
【特許文献２】特開平５−２１９１６９号公報。
【０００３】
特許文献１によれば、図２２に示すように、ハンドセット(送受話器)ａと電話機本体ｂで無線による送受信を行い、ハンドセットａを電話機本体ｂにセットした状態で電話機本体ｂを介してハンドセットａに内蔵した電池(不図示)に充電する卓上壁掛け兼用コードレス電話機であって、電話機本体ｂに充電用弾性接触板ｃを内設すると共に充電用弾性接触板ｃの一部を電話機本体ｂの外方に突出させ、他方、ハンドセットａには電話機本体ｂにセットした状態で充電用弾性接触板ｃと接触する充電用端子ｄを設けて構成したものである。
【０００４】
特許文献２によれば、図２３及び図２４に示すように、電話機本体(不図示)との間で無線による送受信を行うハンドセットｆと、ハンドセットｆの内蔵電池(不図示)を充電する充電台ｇとを備え、ハンドセットｆが、その受話部ｈの内側面に凹部ｉと充電端子(不図示)とを備え、充電台ｇが、ハンドセットｆの充電端子側に押圧するための突起状の押えガイドｊと、ハンドセットｆの凹部ｉに出入り可能で且つ押えばねｋにより押圧されたハンドセットガイドｍとを備えて構成したものである。
【発明の開示】
【発明が解決しようとする課題】
【０００５】
そして、特許文献１に記載の卓上壁掛け用コードレス電話機によれば、電話機本体ｂ側の充電用弾性接触板ｅを、その弾性力を利用して、ハンドセットａ側の充電用端子ｄに接触させることにより、ハンドセットａ側の内蔵電池に充電するように構成していることから、電話機本体ｂに対してハンドセットａ側が振動したような場合、充電用弾性接触板ｃと充電用端子ｄとの接触保持が不安定となり、しかも、充電用弾性接触板ｃをハンドセットａ側に設けた凹部ｅに係合することによりハンドセットａの壁掛け使用状態を保持するように構成しているために、ハンドセットａの固定は緩やかにならざるを得ず、やはり振動により電話機本体ｂから落下してしまう可能性がある。
【０００６】
また、特許文献２に記載の卓上壁掛け用コードレス電話機によれば、ハンドセットガイドｍは、一端側にハンドセットｆの凹部ｉに出入り可能で先端がテーパ面状に形成された爪部ｎを設け、爪部ｎを充電台ｇ内に収容することによりハンドセットｆを充電台ｇ上において卓上使用状態に着脱を容易にし、壁掛け使用状態ではハンドセットガイドｍの充電台ｇへの収容方向を変更することにより爪部ｎを充電台ｇの外側に突出させてハンドセットｆ側の凹部ｉに挿入して、ハンドセットｆを保持するように構成している（図２４に示す状態）。
【０００７】
この構成では、壁掛け使用状態において充電台ｇからのハンドセットｆの取外し容易にするために、充電台ｇ側に固体型の押えガイドｊを小さめでテーパ面状に形成する必要があり、かつ、爪部ｎは先端をテーパ面状に形成する必要がある。そして、ハンドセットｆを取外すときに、この爪部ｎのテーパ面によってハンドセットガイドｍが充電台ｇ内に押されることにより押えばねｋも変形し、ハンドセットｆを取外すようにしている。ハンドセットｆの収納時は、押えばねｋによりハンドセットガイドｍが充電台ｇより突出しているので、爪部ｎの反対側のテーパ面により同様の動作でハンドセットガイドｍをスライドさせて収納できるようになっている。
【０００８】
このために、ハンドセットｆを取り易くするためには、比較的小さな爪部ｎにテーパ面を形成するとともに、押えガイドｊも小さく形成されるので、振動に対してハンドセットが外れ易いという問題がある。
【０００９】
さらに、この爪部ンのテーパ面を無くして爪部ｎをスライドしないような構成の場合には、壁掛け使用状態においてハンドセットを取りやすくするために、受話部受入れ凹部の形状を大きくして、ハンドセットがスライドできるようにしなければならず、このため卓上使用状態ではハンドセットがガタつき、充電用端子ｄとの接触が不安定となるという問題がある。
【００１０】
また、ハンドセットｆを交互に卓上使用状態と壁掛け使用状態に変更する毎に、ハンドセットガイドｍの収容方向を変更して付け替えなければならず面倒であるといえる。
【００１１】
そこで、本発明は、かかる点に鑑み、送受話器側の充電端子と充電台側の充電端子と間において通常の振動等によっては接続不良が起きないようになすと共に、充電台に対する送受話器の着脱が容易となるように構成したコードレス電話機を提供することを目的としている。
【課題を解決するための手段】
【００１２】
上記目的を達成するために本発明は、電話機本体または無線基地局との間で無線による送受信を行う送受話器と、前記送受話器に内蔵された内蔵電池を充電する充電台とを備えて構成するコードレス電話機であって、前記送受話器は、送受話器側充電端子が設けられており、また、前記充電台には、前記送受話器側充電端子に接触する充電側充電端子が設けられていると共に前記送受話器の受話部を受け入れる受話部受入れ凹部が形成されており、前記受話部受入れ凹部における前記受話部の外側壁端面に対向する壁部に、当該受話部の外側壁端面部に当接して前記送受話器側充電端子を前記充電側充電端子側に押圧する送受話器押え片を揺動可能に設け、前記送受話器押え片が常時前記受話部の外側壁端面部側を押圧するように送受話器押え片押圧手段を前記充電台に設けて構成したものである。
【発明の効果】
【００１３】
上記のように構成する本発明は、送受話器を充電台上をスライドさせて着脱したとしても再度充電台上に載置すれば必ず充電台側に設けた送受話器押さえ片が常時送受話器側の受話部の外側壁端面側を押圧することにより送受話器を充電台に保持固定することができることになり、送受話器側充電端子と充電側充電端子との間に接触不良が起こることがなく、しかも、送受話器を用いて送受話器押え片押圧手段に抗して送受話器押え片を操作するだけで、充電台に対する送受話器の着脱が容易にできることになる。
【発明を実施するための最良の形態】
【００１４】
請求項１に記載の本発明は、電話機本体または無線基地局との間で無線による送受信を行う送受話器と、前記送受話器に内蔵された内蔵電池を充電する充電台とを備えて構成するコードレス電話機であって、前記送受話器は、送受話器側充電端子が設けられており、また、前記充電台には、前記送受話器側充電端子に接触する充電側充電端子が設けられていると共に前記送受話器の受話部を受け入れる受話部受入れ凹部が形成されており、前記受話部受入れ凹部における前記受話部の外側壁端面に対向する壁部に、当該受話部の外側壁端面部に当接して前記送受話器側充電端子を前記充電側充電端子側に押圧する送受話器押え片を揺動可能に設け、前記送受話器押え片が常時前記受話部の外側壁端面部側を押圧するように送受話器押え片押圧手段を前記充電台に設けて構成したことを特徴とする。
【００１５】
かかる構成により、送受話器を充電台上をスライドさせて着脱したとしても再度充電台上に載置すれば必ず充電台側に設けた送受話器押さえ片が常時送受話器側の受話部の外側壁端面側を押圧することにより送受話器を充電台に保持固定することができることになり、送受話器側充電端子と充電側充電端子との間に接触不良が起こることがなく、しかも、送受話器を用いて送受話器押え片押圧手段に抗して送受話器押え片を操作するだけで、充電台に対する送受話器の着脱が容易にできることになる。
【００１６】
請求項２に記載の本発明は、請求項１に記載の送受話器押え片押圧手段が、一端側が前記送受話器押え片側に係止すると共に他端側が前記充電台側に係止されたばね片によって構成することを特徴とする。
【００１７】
かかる構成により、ばね片により構成する送受話器押え片押圧手段により押圧された状態で、充電台側に設けた送受話器押さえ片が、常時送受話器側の受話部の外側壁端面側を押圧するように構成したことから、送受話器側充電端子と充電側充電端子との間に接触不良が起ることがなく、しかも、充電台からの送受話器の取外しは、受話部の外側壁端面部を押圧している送受話器押え片を押え片押圧手段の付勢力に抗して揺動させるだけで行うことができ、この際、送受話器の引っ掛かり感を起こさせることなく、送受話器の取り外し操作を行えることになる。
【００１８】
請求項３に記載の本発明は、請求項１又は請求項２に記載の送受話器の受話部における前記受話部受け入れ凹部への受話部側対向面に係合凹部を形成し、前記係合凹部に係合する送受話器係止片を、前記受話部受入れ凹部における前記受話部への受入れ凹部側対向面に形成した係止片収容部に揺動動可能に設置して、前記送受話器係止片を前記係止片収容部より突出させることにより前記係合凹部に係合させて、前記送受話器が壁掛け使用状態となった前記充電台上において保持可能に構成している。
【００１９】
かかる構成により、送受話器係止片を揺動させるだけで、係止片収容部に対して選択的に突出状態及び収納状態を保持でき、従来の爪部のような付け替え作業を必要とせず、便利である。
【００２０】
請求項４に記載の本発明は、請求項１乃至請求項３のいずれか一に記載の送受話器側充電端子を、前記送受話器における送話部側の外側壁端面部側に設置したものである。
【００２１】
かかる構成によれば、送受話器側充電端子は、視認しながら充電台側充電端子に当接させることができて、当該接続状態を外部から視認できて常に充電状態を簡単に把握することができることになり、また、送受話器側充電端子と充電台側充電端子との当接状態は、送受話器係止片が送受話器を充電台側充電端子側に押圧することによって保持されていることになる。
【００２２】
請求項５に記載の本発明は、請求項１に記載の送受話器押え押圧手段が、前記送受話器押え片に、前記受話部の外側壁端面を押圧する押え片部と、前記押え片部に一体成形された操作片部と、前記押え片部と前記操作片部との間に設けられた支軸とを設け、前記充電台の前記受話部受入れ凹部に送受話器押え片配設凹部を設けて、前記操作片部を前記送受話器押え片配設凹部から突出するように構成し、前記送受話器を前記充電台に載置した際に、前記送受話器の受話部により前記操作片部を押圧することにより、前記送受話器押え片が前記支軸を中心に回転して前記押え片部により前記受話部の外側壁端部を押圧するようにしたものである。
【００２３】
かかる構成により、ばね片などを使用せずに、送受話器押え片を支軸により偏倚した位置で設置することにより、送受話器押え片の所謂シーソー式の送受話器押え片押圧手段を構成することができる。
【実施例１】
【００２４】
以下、図を用いて本発明を実施するための最良の形態における実施例を説明する。
【００２５】
図１は、本発明に係る第１の実施例を採用した電話機本体と送受話器を結ぶカールコードを無線化した所謂カールコードレス型のコードレス電話機の卓上使用状態の斜視図、図２は図１におけるコードレス電話機における送受話器を取外した状態を描画した分解斜視図、図３は図１におけるコードレス電話機における充電器の受話部受入れ凹部に送受話器の受話部を載置した状態を拡大して描画した部分斜視図、図４は同じく送受話器の取り外した状態における充電器の受話部受入れ凹部付近を拡大して描画した部分斜視図、図５は図１のＡ−Ａ断面図、図６は図５のＢ矢視図、図７は図５の充電器の受話部受入れ凹部に送受話器の受話部を載置した状態を描画した拡大断面図、図８は図７の詳細断面図、図９は図７の送受話器を載置した状態における充電器の充電端子周辺を描画した拡大断面図、図１０は同じく図７の送受話器を取外した状態における充電器の充電端子周辺を描画した拡大断面図、図１１は壁掛け使用時における図１のＡ−Ａ断面図、図１２は壁掛け使用における充電器の受話部受入れ凹部周辺を拡大して描画した斜視図、図１３は図１のコードレス電話機の壁掛け使用状態における充電器の受話部受入れ凹部から送受話器を取外す途中の過程における充電器の受話部受け入れ凹部付近を描画した拡大断面図、図１４は図１のコードレス電話機の壁掛け使用状態における充電器の受話部受け入れ凹部付近を描画した拡大断面図、図１５は図１のコードレス電話機の卓上使用時状態における送受話器係止手段付近を描画した拡大断面図、図１６は図１のコードレス電話機の壁掛け使用状態における送受話器係止手段付近を描画した拡大断面図、図１７は図１の充電器に装着されて送受話器を充電部側に押え付ける送受話器押え手段の斜視図、図１８は同じく送受話器係止手段の斜視図である。
【００２６】
先ず、図１及び図２において、本発明に係るコードレス電話機１００は、送受話器２００及び送受話器２００に内蔵された充電池を充電するための充電台３００を有して構成されていると共に、充電台３００には、ディスプレイ部４０１、ファンクションキー部４０２或いはダイヤルボタン部４０３等を有して構成する電話機本体としての固定電話機４００が一体に配設して構成するものであるが、場合によっては、固定電話機４００を別体構成とすることもできる。
【００２７】
送受話器２００は、固定電話機４００との間で無線により送受話機能を果たすための送受話間通話機構及び充電池等を送受話器ケース２０１に収容することによって構成している。
【００２８】
送受話器ケース２０１は、一端側が受話部２０２に構成され、他端側は送話部２０３に構成されており、受話部２０２と送話部２０３との間は、送受話者の把手部２０４を形成すべく凹弓状に形成されている。
【００２９】
受話部２０２における把手部２０４に隣接する内側壁面２０２ａには、例えば図５に明確に示すように、係合凹部２０５が形成されている。
【００３０】
送話部２０３の外側壁端面２０３ａには、送受話器ケース２０１に内蔵された充電池に電気的に接続する一対の充電端子２０６が設けられている。
【００３１】
充電台３００は、図２に明確に示すように、その両端部の外縁部にそれぞれ立壁部３０１、３０２を形成することによって、立壁部３０１、３０２にそれぞれ取囲まれた受話部受入れ凹部３０３および送話部受け入れ凹部３０４を形成することによって構成されており、受話部受入れ凹部３０３に受話部２０２を受入れすると共に送話部受入れ凹部３０４に送話部２０３を受入れすることにより、送受話器２００を収容載置できるようになっている。
【００３２】
従って、立壁部３０２の下端部には、一対の充電台側充電端子３０５が設置されて、充電台側充電端子３０５に送受話器側充電端子２０６を当接させることによって、送受話器２００の内蔵充電池に充電するようになっている。
【００３３】
また、立壁部３０１における受話部２０２の外側壁端面２０２ｂに対向する壁部３０１ａには、図４または図１２に明確に示すように、その略中央部を切欠くことによって送受話器押え片配設凹部３０１ｂが形成されており、送受話器押え片配設凹部３０１ｂには、送受話器押え片３０６が挿入配設されている。
【００３４】
送受話器押え片３０６は、図１７に明確に示すように、略門型に形成された基台部３０６ａと基台部３０６ａに一体に突設された押え片部３０６ｂとを有して構成しており、基台部３０６ａにおける互いに対向する起立壁部３０６а−１、３０６ａ―２には、揺動軸３０６ａ−３、３０６ａ−４がそれぞれ同一の揺動軸心となるように取着されている。
【００３５】
そして、送受話器押え片配設凹部３０１ｂは、例えば図５に示すように、受話部受入れ凹部３０３を貫通しており、基台部３０６ａを充電台３００の内部に受け入れ可能に構成されている。
【００３６】
充電台３００の内部に受け入れられた基台部３０６ａは、図６に明確に示すように、揺動軸３０６ａ−３および揺動軸３０６ａ−４を充電台３００の内壁に互いに対向するように立設された一対の軸受け片部３０７に回転可能に設けることによって、揺動するように構成されており、この時、基台部３０６ａに一体に形成した押さえ片部３０６ｂは送受話器押さえ片配設凹部３０１ｂの内外部を出入り可能となり、外部に突出した際には、受話部２０２の外側壁端面２０２ｂに対向し、当接可能に構成されている。
【００３７】
また、一方の揺動軸３０６ａ−３には、図６に明確に示すように、コイル状のばね片３０８が巻回されており、ばね片３０８の両端部は、それぞれ基台部３０６ａのばね受け部３０６ａ−１及び充電台３００の内壁に立設したばね受け部３０９に止着されている。
【００３８】
この結果、ばね片３０６は、常時基台部３０３ａを充電台３００の内壁に形成したばねストッパー片３１０に当接させて、基台部３０６ａを介して押え片部３０６ｂを受話部受入れ凹部３０３の内方すなわち受話部２０２の外側壁端面２０２ｂ側に付勢している(図５或いは図７参照)。
【００３９】
更に、受話部受入れ凹部３０３の壁面に係止片収容部３０３ａを形成しており、係止片収容部３０３ａには、受話部２０２の内側壁面２０２ａに形成した係合凹部２０５に係合する送受話器係止片３１１が配設されている。
【００４０】
送受話器係止片３１１は、図１８に明確に示すように、基部３１１ａと基部３１１ａに互いに対向する方向に延在するようにそれぞれ一体に形成された壁掛け時係止片部３１１ｂおよび卓上時係止片部３１１ｃとを有して構成されており、図６に明確に示すように、基部３１１ａの両側部にそれぞれに設けた支軸３１１ｄを介して、係止片収容部３０３ａの外縁を取囲むように充電台３００の内壁に形成した立設壁３０３ｂにクリック感を有する状態で揺動可能に設置されており、壁掛け時係止片部３１１ｂまたは卓上時係止片部３１１ｃが係止片収容部３０３ａから電話部受入れ凹部２０３に選択的に出入り可能に構成されている。
【００４１】
そして、送受話器係止片３１１は、壁掛け時係止片部３１１ｂを係止片収容部３０３ａから突出するように形成した係止片ストッパー部３１２の外面側に当接させた状態と卓上係止片３１１ｃを係止片ストッパー部３１２の内面側に当接させた状態との範囲内で、支軸３１１ｄを中心にクリック感をもって揺動可能に構成されている。
【００４２】
従って、卓上時係止片部３１１ｃ側が係止片収容部３０３ａから突出している際には、図７または図１５に示すように、卓上時係止片部３１１ｃが送受話器２００側の係合凹部２０５内に遊嵌状態となって、コードレス電話機１００の卓上使用状態を保持しており、この際には、送受話器押え片３０６の押え片部３０６ｂがばね片３０８の付勢力により受話部２０２の外側壁端面２０２ｂを押圧して、送受話器側充電端子２０６を充電台側充電端子３０５に圧接させている。
【００４３】
従って、ばね片３０８は、送受話器押え片３０６が受話部２０２の外側壁端面２０２ｂを押圧させる送受話器押え片押圧手段を構成していることになる。
【００４４】
また、コードレス電話機１００をこの卓上使用状態から図１１に示す壁掛け使用状態にするには、操作者の手等により卓上時係止片部３１１ｃを係止片ストッパー部３１２に当接するまで係止片収容部３０３ａに押し込んで支軸３１１ｄを介して送受話器係止片３１１を揺動させて、図１６に示すように、係止片収容部３０３ａから壁掛け時係止片部３１１ｂを突出させ、図１４に示すように、壁掛け時係止片部３１１ｂを係合凹部２０５内に引掛け係合することによって図１１に示すようなコードレス電話機１００を壁掛け補助部材３１３を介して住宅等の壁部３１４に設置する壁掛け使用状態を保持することになる。
【００４５】
この際も、送受話器押さえ片３０６がばね片３０８の付勢力により受話部２０２の外側壁端面２０２ｂを押圧して、送受話器側充電端子２０６を充電台側充電端子３０５に圧接させている。
【００４６】
また、かかるコードレス電話機１００の壁掛け使用状態において、図１３に示すように、充電台３００に対して、送受話器２００を上方にスライドさせることによって、送受話器押え片３０６をばね片３０８の付勢力に抗して送受話器押え片配設凹部３０１ｂの外方に揺動させて、送受話器係止片３１１の壁掛け時係止片部３１１ｂにおける送受話器２００側の係合凹部２０５への係合を解き、この状態を保持しながら、送受話器２００を充電台３００から引き抜くことによって行うことができる。
【００４７】
かかる構成により、充電台３００側に設けた送受話器押さえ片３０６が常時送受話器２００側の受話部２０２における外側壁端面２０２ｂ側を押圧することにより送受話器２００を充電台３００に保持固定するように構成したことから、送受話器２００を充電台３００上をスライドさせて着脱したとしても、再度充電台２００上に載置すれば必ず充電台２００側に設けた送受話器押さえ片３０６が常時送受話器２００側の受話部２０２の外側壁端面２０２ｂ側を押圧することにより送受話器２００を充電台３００に保持固定することができることになり、送受話器側充電端子２０６と充電側充電端子３０５との間に接触不良が起こることがなく、しかも、充電台３００からの送受話器２００の取外しは、受話部２０２の外側壁端面部を押圧している送受話器押え片３０６をばね片３０８の付勢力に抗して揺動させるだけで行うことができ、この際、送受話器２００の引っ掛かり感を起こさせることなく、送受話器２００の取り外し操作を行えることになる。
【００４８】
また、かかる構成により、送受話器係止片３１１を揺動させるだけで、係止片収容部３０３ａに対して選択的に突出状態及び収納状態を保持でき、従来のハンドセットガイドｍのような付け替え作業を必要とせず便利である。
【００４９】
更に、かかる構成によれば、送受話器側充電端子２０６は、送受話器側充電端子２０６を送受話器２００における送話部２０３側の外側壁端面２０３ａに設置したことから、外部から視認しながら充電台側充電端子３０５に当接させることができて、当該接続状態を外部から視認できて常に充電状態を簡単に把握することができることになり、また、送受話器側充電端子２０６と充電台側充電端子３０５との当接状態は、送受話器押え片３０６が送受話器２００を充電台側充電端子３０５側に押圧することによって保持されていることになる。
【実施例２】
【００５０】
次に、本発明に係る別の実施例について、図１９乃至図２１を用いて説明する。
【００５１】
図１９は本発明に係る別の実施例を採用した送受話器の受話部周辺を拡大して描画した斜視図、図２０は送受話器を充電台に載置した状態における図１９のＣ−Ｃ断面図、図２１は同じく充電台から送受話器を取外した状態における図１９のＣ−Ｃ断面図である。
【００５２】
図１９乃至図２１に示す別の実施例においては、上記実施例における送受話器押え片３０６を変形したものである。
【００５３】
すなわち、送受話器押え片３０６は、受話部２０２の外側壁端面２０２ｂを押圧する押え片部３０６ｃと押え片部３０６ｃに一体形成された操作片部３０６ｄとで構成しており、押え片部３０６ｃ側に偏倚した部位に設けた支軸３０６ｅを介して充電器３００側に設置されており、自重により操作片部３０６ｄ側が図２１に示すように送受話器押え片配設凹部３０１ｂから突出するように構成されており、図２０に示すように、送受話器２００を充電台３００上に載置した際に、送受話器２００の受話部２０２によって押圧されて、押え片部３０６ｃが送受話器押え片配設凹部３０１ｂから突出して、受話部２０２の外側壁端面２０２ｂを押圧するように構成されている。
【００５４】
従って、本実施例によれば、上記実施例のばね片３０８などを使用せずに、送受話器押え片３０６を支軸３０６ｅにより偏倚した位置で設置することにより、送受話器押え片３０６の所謂シーソー式の送受話器押え片押圧手段を構成することができる。
【産業上の利用可能性】
【００５５】
以上説明したように、本発明は、送受話器を充電台上をスライドさせて着脱したとしても再度充電台上に載置すれば必ず充電台側に設けた送受話器押さえ片が常時送受話器側の受話部の外側壁端面側を押圧することにより送受話器を充電台に保持固定することができることになり、送受話器側充電端子と充電側充電端子との間に接触不良が起こることがなく、しかも、送受話器を用いて送受話器押え片押圧手段に抗して送受話器押え片を操作するだけで、充電台に対する送受話器の着脱が容易にできることになるために、電話機本体との間で無線による送受信を行う送受話器と、前記送受話器に内蔵された内蔵電池を充電する充電台とを備えて構成するコードレス電話機等に好適である。
【００５６】
また、本実施例では、所謂カールコードレス型のコードレス電話機を例にして説明したが、送受話器にダイヤル釦／開始／終了灯を備えたハンドセット電話機とその充電台とから構成されるコードレス電話機においても好適である。
【図面の簡単な説明】
【００５７】
【図１】本発明に係る第１の実施例を採用した電話機本体と送受話器を結ぶカールコードを無線化した所謂カールコードレス型のコードレス電話機の卓上使用状態の斜視図
【図２】図１におけるコードレス電話機における送受話器を取外した状態を描画した分解斜視図
【図３】図１におけるコードレス電話機における充電器の受話部受入れ凹部に送受話器の受話部を載置した状態を拡大して描画した部分斜視図
【図４】同じく送受話器の取り外した状態における充電器の受話部受入れ凹部付近を拡大して描画した部分斜視図
【図５】図１のＡ−Ａ断面図
【図６】図５のＢ矢視図
【図７】図５の充電器の受話部受入れ凹部に送受話器の受話部を載置した状態を描画した拡大断面図
【図８】図７の詳細断面図
【図９】図７の送受話器を載置した状態における充電器の充電端子周辺を描画した拡大断面図
【図１０】同じく図７の送受話器を取外した状態における充電器の充電端子周辺を描画した拡大断面図
【図１１】壁掛け使用時における図１のＡ−Ａ断面図
【図１２】壁掛け使用における充電器の受話部受入れ凹部周辺を拡大して描画した斜視図
【図１３】図１のコードレス電話機の壁掛け使用状態における充電器の受話部受入れ凹部から送受話器を取外す途中の過程における充電器の受話部受け入れ凹部付近を描画した拡大断面図
【図１４】図１のコードレス電話機の壁掛け使用状態における充電器の受話部受け入れ凹部付近を描画した拡大断面図
【図１５】図１のコードレス電話機の卓上使用時状態における送受話器係止手段付近を描画した拡大断面図
【図１６】図１のコードレス電話機の壁掛け使用状態における送受話器係止手段付近を描画した拡大断面図
【図１７】図１の充電器に装着されて送受話器を充電部側に押え付ける送受話器押え手段の斜視図
【図１８】同じく送受話器係止手段の斜視図
【図１９】本発明に係る別の実施例を採用した送受話器の受話部周辺を拡大して描画した斜視図
【図２０】送受話器を充電台に載置した状態における図１９のＣ−Ｃ断面図
【図２１】同じく充電台から送受話器を取外した状態における図１９のＣ−Ｃ断面図
【図２２】従来技術におけるコードレス電話機における壁掛け及び卓上使用状態を示す要部断面図
【図２３】別の従来技術におけるコードレス電話機における卓上使用状態を示す要部断面図
【図２４】同じく、壁掛け使用時における要部断面図
【符号の説明】
【００５８】
１００    コードレス電話機
２００    送受話器（ハンドセット）
２０２    受話部
２０２ｂ  外側壁端面
２０６    送受話器側充電端子
３００    充電台
３０１ａ  壁部
３０３    受話部受入れ凹部
３０５    充電側充電端子
３０６    送受話器押え片
３０８    ばね片（送受話器押え片押圧手段）
【図１】
2009130839.tif 000003
【図２】
2009130839.tif 000004
【図３】
2009130839.tif 000005
【図４】
2009130839.tif 000006
【図５】
2009130839.tif 000007
【図６】
2009130839.tif 000008
【図７】
2009130839.tif 000009
【図８】
2009130839.tif 000010
【図９】
2009130839.tif 000011
【図１０】
2009130839.tif 000012
【図１１】
2009130839.tif 000013
【図１２】
2009130839.tif 000014
【図１３】
2009130839.tif 000015
【図１４】
2009130839.tif 000016
【図１５】
2009130839.tif 000017
【図１６】
2009130839.tif 000018
【図１７】
2009130839.tif 000019
【図１８】
2009130839.tif 000020
【図１９】
2009130839.tif 000021
【図２０】
2009130839.tif 000022
【図２１】
2009130839.tif 000023
【図２２】
2009130839.tif 000024
【図２３】
2009130839.tif 000025
【図２４】
2009130839.tif 000026